(57)【要約】【課題】撮影と同時に、自動的に被撮影物の情報を画像とともに記録するカムコーダを提供する。【解決手段】無線タグ１０から発信される被撮影物の情報を、カムコーダ１のレンズ部２１の画角と同じ指向性を持ったアンテナ４で受信し、メタデータとして、ビデオ信号処理部３でカメラブロック２から出力される映像データと同期させ、記録部６で記録媒体であるビデオテープ７に記録する。【選択図】  図２
2004364044.tif 000002
【特許請求の範囲】
【請求項１】
被撮影物を撮像して撮像画像を得る撮像手段と、該撮像手段により得られた撮像画像を画像データとして所定の記録媒体に対して記録する記録手段とを備えた画像記録装置において、
被撮影物が携行する被撮影物情報を発信する情報発信装置からの信号を、上記撮像手段により撮像された画像の画角内でのみ受信する受信手段と、
上記受信手段によって得られる被撮影物情報から被撮影物のメタ情報を生成するメタ情報生成手段と、
上記メタ情報生成手段によって生成されたメタ情報を上記画像データと同期させて記録する記録手段と、
を備えることを特徴とする画像記録装置。
【請求項２】
上記情報発信装置は、被撮影物が携行する無線タグであり、上記受信手段は、上記撮像手段により撮像された画像の画角と同じ範囲の指向性を持つアンテナを備えることを特徴とする請求項１記載の画像記録装置。
【請求項３】
上記情報発信装置は、被撮影物が携行するＬＥＤタグであり、上記受信手段は、撮像画像内に映るＬＥＤタグからの信号を受信することを特徴とする請求項１記載の画像記録装置。
【発明の詳細な説明】
【０００１】
【発明の属する技術分野】
本発明は、カメラと映像を記録するレコーダが一体となっているカムコーダなどの撮像装置に関する。
【０００２】
【従来の技術】
従来、カメラ一体型ビデオテープレコーダ（以下、カムコーダという。）などの撮像装置で撮影した映像から、所望とする映像を検索するためには、ユーザが撮影された映像を再生して、視覚的に確認し、所望とする映像を得るという方法がとられていた。また、撮影された後に、映像に関する詳細な情報をメタデータとして記録する方法はいくつか提案されている。
【０００３】
さらに、放送局などで用いられるためのニュースシステムでは、撮影された映像に、撮影された映像を管理するためのタイトル、撮影日時、撮影者及び撮影場所の情報などを予め記録して、映像信号として伝送する方法も提案されている（例えば、特許文献１参照。）。
【０００４】
【特許文献１】
国際公開第ＷＯ９６／３６１７７号パンフレット
【０００５】
【発明が解決しようとする課題】
しかしながら、従来のカムコーダを用いて、所望とする映像を検索する場合、撮影した映像をいちいち全部確認するという面倒が生じていた。また、キーワード検索できるように、映像に関する詳細な情報をメタデータとして記録する場合も、撮影された後に、メタデータを追加するなどのユーザにとって煩わしい作業が必要になっていた。
【０００６】
また、上述のようなニュースシステムなどに用いられる映像信号伝送装置においては、ユーザが撮影された映像に関する詳細な情報を、予め記録しないといけないという面倒が生じたり、詳細な情報を記録するための大掛かりな装置も必要になってくる。
【０００７】
本発明は、このような従来の実情に鑑みて提案されたものであり、カムコーダなどのカメラと記録するストレージが一体となっている装置によって撮像された被撮影物の情報が、撮影時に自動的に記録される撮像装置を提供することを目的とする。
【０００８】
【課題を解決するための手段】
上述した目的を達成するために、本発明に係る画像記録装置は、被撮影物を撮像して撮像画像を得る撮像手段と、該撮像手段により得られた撮像画像を画像データとして所定の記録媒体に対して記録する記録手段とを備えた画像記録装置において、被撮影物が携行する被撮影物情報を発信する情報発信装置からの信号を、上記撮像手段により撮像された画像の画角内でのみ受信する受信手段と、上記受信手段によって得られる被撮影物情報から被撮影物のメタ情報を生成するメタ情報生成手段と、上記メタ情報生成手段によって生成されたメタ情報を画像データと同期させて記録する記録手段とを備えることを特徴とする。
【０００９】
【発明の実施の形態】
以下、本発明の実施の形態について、図面を参照して詳細に説明する。この実施の形態は、被撮影物を撮影して撮像データを得るカメラ一体型ビデオテープレコーダ（以下、カムコーダという。）に適用したものである。
【００１０】
本発明の実施の形態は、例えば、図１に示すように、被撮影物情報の発信装置１０１を所持した利用者を撮像するカムコーダ１０２を用いた撮影システム１００に適用される。カムコーダ１０２は、撮像された画像の画角内（図１におけるα内）に、被撮影物情報の発信装置１０１を所持した利用者がいる場合は、発信装置１０１からの情報を受け取ることができ、画像データとともに、記録される。しかし、撮像された画像の画角外に、発信装置１０１を所持した利用者や、発信装置１０１を所持していない非利用者が撮像された画像の画角内にいた場合は、被撮影物情報を受信することができず、被撮影物情報は記録されない。
【００１１】
以下、本発明の第１の実施の形態のカムコーダ１について説明する。カムコーダ１は、図２に示すような構成となっている。カムコーダ１は、被撮影物を撮像した映像信号と音声信号をビデオ信号処理部３に出力するカメラブロック２と、カメラブロック２から出力された信号を信号処理して画像データや音声データに変換するビデオ信号処理部３と、後述する無線タグ１０から送信された情報を受信するためのアンテナ４と、アンテナ４から受信した電波を復調し、ビデオ信号処理部３に出力する無線タグ受信部５と、ビデオ信号処理部３で多重化された画像データと音声データと無線タグ１０からのメタデータを記録する記録部６と、上記画像データなどを記録する記録媒体であるビデオテープ７、カムコーダ１の各種動作を制御する制御部８と、カムコーダ１の操作を行う操作部９とから構成されている。
【００１２】
カメラブロック２は、被撮影物から反射される光を収束させるレンズ部２１と、レンズ部２１によって収束された光を電気信号に変換する撮像手段であるＣＣＤ（Ｃｈａｒｇｅ  Ｃｏｕｐｌｅｄ  Ｄｅｖｉｃｅ）２２と、ＣＣＤ２２によって出力される電気信号を量子化するＡ／Ｄ（Ａｎａｌｏｇ  ｔｏ  Ｄｉｇｉｔａｌ）変換部２３と、被撮影物の音声を集音するためのマイクロフォン２４と、集音された音声を量子化するＡ／Ｄ変換部２５とから構成されている。Ａ／Ｄ変換部２３、２５でデジタル信号に変換された画像信号と音声信号は、ビデオ信号処理部３に出力される。
【００１３】
ビデオ信号処理部３では、制御部８により制御され、カメラブロック２から供給される画像信号と音声信号をデジタル信号処理して、画像データと音声データを作成し、該画像データと該音声データと無線タグ受信部５から供給されるメタデータとを多重化して、記録部６へ供給する。
【００１４】
なお、メタデータとは、例えば、被撮影物の名前、属性などの被撮影物に関する情報を表すデータで、他の被撮影物と識別するために必要な情報が記述されたデータである。
【００１５】
アンテナ４は、無線タグ１０から発信された被撮影物のメタデータを受信するためのもので、カムコーダ１のレンズ部２１の画角とほぼ等しい指向性を持ったアンテナである。そのため、無線タグ１０を持った被撮影物がカメラの画角内に入ると、アンテナ４は無線タグからの被撮影物のメタ情報を受信することができる。
【００１６】
無線タグ受信部５は、アンテナ４で受信した信号を復調し、被撮影物のメタデータとして、ビデオ信号処理部３に供給する。
【００１７】
記録部６は、例えば、記録媒体であるビデオテープ７に、画像データ、音声データ及びメタデータを記録及び／又は再生する記録再生ヘッド等を有し、制御部８により制御されてビデオ信号処理部３から供給された画像データ、音声データ、メタデータをビデオテープ７に記録する。なお、本発明においては、記録媒体をビデオテープに限定するものではなく、例えば、フラッシュメモリなどの不揮発性メモリの記録媒体、ＤＶＤ（Ｄｉｇｉｔａｌ  Ｖｅｒｓａｔｉｌｅ  Ｄｉｓｃ）などのディスク状の記録媒体などであってもよい。
【００１８】
制御部８は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）を内蔵し、上述の各構成を統括して制御するほか、操作部９からの信号に対応してカムコーダ１全体の動作の制御を行う。
【００１９】
操作部９は、例えば、各種ボタン、スイッチを有し、カムコーダ１の操作を行うための命令を制御部８に供給する。
【００２０】
次に、被撮影物のメタデータを送信する無線タグ１０について、図３を参照しながら説明する。
【００２１】
無線タグ１０は、固有の識別情報や読み書き可能な記憶領域を含んだデバイスであり、識別情報や記憶されている情報に相当する電波を発信する装置である。無線タグ１０から発信された電波は、読み取り装置に受信される。読み取り装置は、受信した電波から、無線タグ１０の識別情報や記憶領域に書き込まれている情報を読み出すことにより、無線タグ１０を識別する。したがって、無線タグに書き込まれている固有のＩＤやその他の情報を利用して、物品の判別や所有者の判別などを行うことができる。
【００２２】
上記のような特徴を持つ無線タグ１０は、図３に示すように、被撮影物の情報を予め記憶しておくメモリ部１１と、メモリ部１１に記憶されたデータを変調し、アンテナ１３に出力する無線送信部１２と、無線送信部１２から供給された信号を送信するアンテナ１３とから構成されている。
【００２３】
続いて、第１の実施の形態のカムコーダ１において、無線タグ１０を所持している被撮影物を撮影する様子について、図４を用いて説明する。なお、図４において、カムコーダ１の中の記録部６からの吹き出しは、記録媒体に記録される画像データとメタデータを概略的に示したものである。
【００２４】
今、無線タグ１０Ａを所持している利用者Ａと、無線タグ１０Ｂを所持している利用者Ｂと、無線タグ１０を所持していない非利用者Ｃがいる。それぞれの無線タグ１０Ａ、１０Ｂには、利用者Ａと識別できる情報、例えば、「Ａさん」と、利用者Ｂと識別できる情報、例えば、「Ｂさん」という情報が、それぞれのメモリ部１１Ａ、１１Ｂに、予め記憶されているとものとする。
【００２５】
図４（ａ）に示すように、無線タグ１０Ａを所持した利用者Ａが、カムコーダ１のレンズ部２１の画角内におり、カムコーダ１で撮像されている場合、カムコーダ１のレンズ部２１の画角とほぼ同じ指向性を持つアンテナ４から被撮影物情報を受信し、無線タグ１０Ａを所持している利用者Ａの「Ａさん」というメタデータが、画像データとともに、記録される。
【００２６】
次に、図４（ｂ）に示すように、無線タグ１０を所持していない非利用者Ｃが、カムコーダ１のレンズ部２１の画角内におり、カムコーダ１で撮像されている場合、無線タグ１０を所持していないので、無線タグ１０からの被撮影物情報は発信されておらず、非利用者Ｃのメタデータは記録されない。つまり、従来のカムコーダで撮像した場合と同じである。
【００２７】
次に、図４（ｃ）に示すように、無線タグ１０Ａを所持している利用者Ａと、無線タグ１０を所持していない非利用者Ｃが、カムコーダ１のレンズ部２１の画角内におり、カムコーダ１で撮像されている場合、利用者Ａと非利用者Ｃの画像データは記録されるが、カムコーダ１のレンズ部２１の画角とほぼ同じ指向性を持つアンテナ４から利用者Ａの被撮影物情報のみを受信し、無線タグ１０Ａを所持している利用者Ａの「Ａさん」というメタデータのみ画像データとともに記録される。つまり、無線タグ１０を所持していない非利用者Ｃのメタデータは記録されない。
【００２８】
次に、図４（ｄ）に示すように、無線タグ１０Ａを所持している利用者Ａと、無線タグ１０Ｂを所持している利用者Ｂが、カムコーダ１のレンズ部２１の画角内におり、カムコーダ１で撮像されている場合、利用者Ａと利用者Ｂの画像データとともに、カムコーダ１のレンズ部２１の画角とほぼ同じ指向性を持つアンテナ４から被撮影物情報を受信し、「Ａさん」、「Ｂさん」というそれぞれのメタデータも同時に記録される。
【００２９】
また、図４（ｅ）に示すように、無線タグ１０Ａを所持している利用者Ａが、カムコーダ１のレンズ部２１の画角内におり、撮像されており、無線タグ１０Ｂを所持している利用者Ｂが、利用者Ａの近くにはいるが、カムコーダ１のレンズ部２１の画角外にいる場合、カムコーダ１のレンズ部２１の画角とほぼ同じ指向性を持つアンテナ４が被撮影物情報を受信できる無線タグ１０Ａを所持している利用者Ａの「Ａさん」というメタデータのみ画像データとともに記録される。つまり、無線タグ１０Ｂを所持している利用者Ｂが存在しても、利用者Ｂはカムコーダ１のレンズ部２１の画角に入っていないため、アンテナ４は被撮影物情報を受信できず、利用者Ｂの画像は記録されず、なおかつ、利用者Ｂのメタデータも記録されない。
【００３０】
以上のように無線タグ１０を所持している利用者が、カメラの画角内に入っている場合には、カムコーダ１のレンズ部２１の画角とほぼ同じ指向性を持つアンテナ４が、被撮影物情報を受信することができ、カムコーダ１は無線タグ１０から受信する被撮影物の情報を、画像データと同時に記録することができる。そのため、撮影者は、記録された被撮影物に関する情報を用いて、特定の被撮影物が記録されている映像を容易に検索することが可能となる。
【００３１】
続いて、本発明の第２の実施の形態であるカムコーダ３０について、図面を参照しながら説明する。
【００３２】
本発明の第２の実施の形態のカムコーダ３０は、図５に示すような構成となっている。なお、第１の実施の形態と同様の機能や構成からなるものには、同符号を付し、説明を省略するものとする。
【００３３】
カムコーダ３０は、被撮影物の情報を認識、記録する方法として、ＬＥＤ（ｌｉｇｈｔ  ｅｍｉｔｔｉｎｇ  ｄｉｏｄｅ）タグを用いている。そのため、図５に示すように、カムコーダ３０には、ＬＥＤ信号処理部１４が備わっている。
【００３４】
ＬＥＤ信号処理部１４は、ビデオ信号処理部３を介して画像データが入力され、画像データの中のＬＥＤ４２の点滅パターンを抽出し、該点滅パターンから被撮影物の情報を得る。この得られた被撮影物の情報は、ビデオ信号処理部３に入力され、カムコーダ１と同様、画像データと上記被撮影物の情報は同期され、記録部６に供給され、記録媒体であるビデオテープ７に記録される。
【００３５】
次に、被撮影物のメタデータを発信するＬＥＤタグ４０について、図６を参照して説明する。図６に示すように、ＬＥＤタグ４０は、被撮影物の情報を予め記憶しておくメモリ部１１と、メモリ部１１に記憶されたデータをＬＥＤの点滅等の信号に変換し、ＬＥＤ４２を点滅させる制御部４１と、入力された信号によって点滅するＬＥＤ４２とから構成されている。
【００３６】
以上のようなカムコーダ３０は、撮影されたＬＥＤタグ４０から被撮影物の情報を得ているので、画角外つまり撮影されていないＬＥＤタグ４０を所持している被撮影物のメタデータは認識されず、記録されることもない。
【００３７】
なお、被撮影物を識別する方法としては、上述のように、ＬＥＤの点滅パターンに限らず、例えば、単位時間当りの点滅回数の違いによるものや、ＬＥＤの色の違いによって識別してもよい。
【００３８】
また、ＬＥＤタグ４０を用いたカムコーダ３０は、第１の実施の形態のように、カムコーダ３０の本体に、カメラ画角と同じ指向性を持ったＬＥＤタグ受光部を設けてもよい。
【００３９】
また、被撮影物を撮影しており、上記無線タグ１０や上記ＬＥＤタグ４０からの被撮影物の情報を記録している場合に、そのことを知らせる手段、例えば、被撮影物の情報を記録しているときに点灯する発光素子などを、カムコーダの本体に取り付けるようにしてもよい。そうすることによって、撮影者は、所望とする被撮影物を認識していなくても、該被撮影物を画角内に捕らえておくことができ、同時に被撮影物の情報も記録されるので、後から特定の被撮影物が記録されている映像を容易に検索することが可能となる。
【００４０】
【発明の効果】
以上詳細に説明したように、本発明に係る画像記録装置は、情報発信装置からの被撮影物情報を映像とともに、同時に自動的に記録することができるので、撮影者は撮影するという行為に集中できる。
【００４１】
また、記録したメタデータを用いることにより、例えば、キーワードで映像の検索を行うことができ、所望とする被撮影物が記録されている映像を容易に検索し、再生することが可能となる。
【図面の簡単な説明】
【図１】本発明の実施の形態を表す図である。
【図２】本発明の第１の実施の形態のカムコーダ１のブロック図である。
【図３】カムコーダ１に被撮影物の情報を発信する無線タグ１０のブロック図である。
【図４】第１の実施の形態のカムコーダ１において、無線タグ１０を所持している被撮影物を撮影する様子を示した図である。
【図５】本発明の第２の実施の形態のカムコーダ３０のブロック図である。
【図６】カムコーダ３０に被撮影物の情報を発信するＬＥＤタグ４０のブロック図である。
【符号の説明】
１  カムコーダ、２  カメラブロック、３  ビデオ信号処理部、４，１３  アンテナ、５  無線タグ受信部、６  記録部、７，４１  制御部、８  操作部、９ＬＥＤ信号処理部、１０  無線タグ、１１  メモリ、１２  無線送信部、２１レンズ部、２２  ＣＣＤ、２３，２５  Ａ／Ｄ変換部、２４  スピーカ、４０ＬＥＤタグ、４２  ＬＥＤ
【図１】
2004364044.tif 000003
【図２】
2004364044.tif 000004
【図３】
2004364044.tif 000005
【図４】
2004364044.tif 000006
【図５】
2004364044.tif 000007
【図６】
2004364044.tif 000008